(57)【特許請求の範囲】
【請求項１】
屋根上に溝形フレームを架設し、該溝形フレームの溝部と押さえカバーで遮熱シートを固定して遮熱シートを屋根上に張設してなる遮熱シートの取付構造において、
上記溝形フレームの溝部の開口を、上記遮熱シートを介して上記押さえカバーで塞いだ状態で、上記溝形フレームと上記押さえカバーとを相互に弾性係止する係止手段を備えた取付構造とされ、
上記係止手段は、上記溝形フレームおよび上記押さえカバーの一方に備えた係止部で、他方に備えた係止受部を係止する構成となっており、
上記押さえカバーの幅方向の中央下面には、上記溝形フレームの溝部に嵌合し上記遮熱シートを押さえる突出片よりなる押さえ片が形成され、上記押さえカバーの幅方向の両端には、上記遮熱シートを押さえる下方を向いた折曲片よりなる押さえ片が形成されていることを特徴とする遮熱シートの取付構造。
【発明の詳細な説明】
【技術分野】
【０００１】
本発明は、屋根上に架設した溝形フレームの溝部と押さえカバーで遮熱シートを固定して遮熱シートを屋根上に張設してなる遮熱シートの取付構造に関する。
【背景技術】
【０００２】
従来、屋根上に遮熱シートを配設するために、固定具を介して溝形フレームを屋根上に架設し、その溝形フレームで遮熱シートを固定、張設するようにした遮熱シートの取付構造が提案されている（特許文献１参照）。
【０００３】
この種の遮熱シートの取付構造は例えば、遮熱シートを溝形フレームの溝部の内底面に別部材で押さえつけて固定した構造となっており、溝部内が外観露出しないように、溝部の開口を覆うように押さえカバーを溝形フレームに対しビス止め（ナットを使用しないネジ止め）して取り付けることが通例である。
【先行技術文献】
【特許文献】
【０００４】
【特許文献１】特開２０１０−１１２００７号公報
【発明の概要】
【発明が解決しようとする課題】
【０００５】
しかしながら、押さえカバーをビス止めすると、溝形フレーム、押さえカバーの材料である金属や樹脂の削り粉である切粉が飛散し溝形フレームの近傍に残留するため、それを取り除くための作業が発生していた。
【０００６】
また、押さえカバーの中央部と、溝形フレームの溝部の底部とをビス止めするものでは、切粉は開口を塞いだ溝内空間に発生するため、それを容易には取り除くことはできず、そのまま放置すれば、金属素材の場合には雨水等によって切粉が錆びて、周辺の屋根面にも錆が及ぶおそれがあった。
【０００７】
本発明は、このような事情を考慮して提案されたもので、その目的は、屋根上への遮熱シートの取付作業を、切粉の発生するビス止めによらず簡易、迅速に行うことができる遮熱シートの取付構造を提供することにある。
【課題を解決するための手段】
【０００８】
上記目的を達成するために、請求項１に記載の遮熱シートの取付構造は、屋根上に溝形フレームを架設し、該溝形フレームの溝部と押さえカバーで遮熱シートを固定して遮熱シートを屋根上に張設してなる遮熱シートの取付構造において、溝形フレームの溝部の開口を、遮熱シートを介して押さえカバーで塞いだ状態で、溝形フレームと押さえカバーとを相互に弾性係止する係止手段を備えた取付構造とされ、係止手段は、溝形フレームおよび押さえカバーの一方に備えた係止部で、他方に備えた係止受部を係止する構成となっており、押さえカバーの幅方向の中央下面には、溝形フレームの溝部に嵌合し遮熱シートを押さえる突出片よりなる押さえ片が形成され、押さえカバーの幅方向の両端には、遮熱シートを押さえる下方を向いた折曲片よりなる押さえ片が形成されていることを特徴とする。
【０００９】
（削除）
【発明の効果】
【００１０】
請求項１に記載の遮熱シートの取付構造によれば、溝形フレームと押さえカバーとを相互に弾性係止する係止手段を備えているため、切粉の発生するビス止めによらず簡易、迅速に遮熱シートを張設することができる。
【００１１】
また、係止手段は溝形フレームおよび押さえカバーの一方に備えた係止部で他方に備えた係止受部を係止する構成となっているので、一方には係止部を構成する爪片、他方にはそれを受ける係止受部を構成する部位を形成すればよく、溝形フレームと押さえカバーをシンプルな形状に形成できる。さらに、押さえカバーに押さえ片が形成されているので、遮熱シートの張力を調整でき、遮熱シートをたるみなく溝形フレームに固定することができる。
【図面の簡単な説明】
【００１２】
【図１】本発明の第１実施形態に係る遮熱シートの取付構造の分解斜視図である。
【図２】（ａ）、（ｂ）は、第１実施形態における遮熱シートの取付手順を示した正面図である。
【図３】第１実施形態における遮熱シートの取付状態を示した平面図である。
【図４】第１実施形態に使用される押さえカバーの他例の斜視図である。
【図５】本発明の第２実施形態に係る遮熱シートの取付構造の分解斜視図である。
【図６】（ａ）、（ｂ）は、第２実施形態における遮熱シートの取付手順を示した正面図である。
【図７】第２実施形態における遮熱シートの取付状態を示した平面図である。
【図８】第２実施形態に使用される押さえカバーの他例の斜視図である。
【発明を実施するための形態】
【００１３】
以下に、本発明の実施の形態について、添付図面を参照しながら説明する。
【００１４】
図１は、本発明の第１実施形態に係る遮熱シートの取付構造の一例を示す分解斜視図である。図２（ａ）、（ｂ）は遮熱シートの取付手順を示した正面図である。図３は、遮熱シートの取付状態を示した平面図である。
【００１５】
本実施形態における遮熱シート１０の取付対象は、図２に示しているように波形屋根１であり、波形屋根１の屋根材の端部を連結した連結山部１ａに固定具３を固定したうえで、その上に溝形フレーム２０を架設して、さらにその上に遮熱シート１０を取り付けるようにしたものである。なお、取付対象の屋根は波形屋根１に限定されず、他の屋根であってもよい。
【００１６】
固定具３は、その構造の詳細を図示していないが、２つの挟着片３ａを組み合わせてなり、連結山部１ａの上方に突出した連結用のボルト体２の軸部に２つの挟着片３ａを挟着して屋根に固定される構造となっている。また、溝形フレーム２０は、固定具３に対してビス止めにて固定される構造となっている。なお、図２中の３ｂは２つの挟着片３ａを緊締してボルト体２の軸部に挟着する緊締ボルトを示しており、１ｂはボルト体２で固定するための屋根材支持金具（タイトフレーム）である。固定具３についても、他の構造の固定具を用いてもよい。また、屋根材がハゼ結合されている屋根の場合、ハゼ部に対して固定可能な固定具が用いられるが、本発明はそのような固定具を用いたものについても適用可能である。ようするに、固定具３については本明細書では一例を示したにすぎず、溝形フレーム２０の屋根への固定手法については手段を問わない。
【００１７】
遮熱シート１０は、柔軟性、伸縮性を有し、太陽熱等を遮断・遮熱する合成樹脂シートで構成されており、例えば本実施形態に示すように、太陽熱等を遮断・遮熱する銀色等に着色した樹脂糸材を縦横に編んで形成した織物シートを好適に使用できる。
【００１８】
この遮熱シート１０は、屋根上に固定した溝形フレーム２０に固定され、溝形フレーム２０間に張設されるようになっている。本実施形態では、溝形フレーム２０に直交する方向に帯状に長い遮熱シート１０が用いられている。なお、本実施形態で用いる遮熱シート１０は、図３に示すように、幅方向の両端を除く部分（クロスハッチングで示した部位）は縦横の樹脂糸材で編み込まれて目が詰まっているが、両端は樹脂糸材（横糸１０ａ）を縦糸１０ｂで固定しないようにしている（図３の１点鎖線で囲んだ部分拡大平面図参照）。つまり、この両端部位は後述する押さえカバー３０の係止部を挿通させることができる挿通可能部１１を構成している。
【００１９】
溝形フレーム２０は、金属または硬質の合成樹脂よりなり、凹条に形成された溝部２１と、溝部２１の上端から両側斜め下方に延びたフランジ片とを備えている。このフランジ片は、遮熱シート１０を挟んだ状態で溝形フレーム２０の上に配する押さえカバー３０を固定するための係止受部２２（爪片）であり、後述の押さえカバー３０に形成した係止部３１とともに、相互に係止するための係止手段Ａを構成している。
【００２０】
一方、押さえカバー３０は、金属または硬質の合成樹脂よりなり、長さ寸法は遮熱シート１０の幅寸法とほぼ同一となっており、幅寸法は溝形フレーム２０の幅寸法とほぼ同一となっている。
【００２１】
押さえカバー３０の幅方向の両端には、下方を向く折曲片が形成されており、この折曲片の長手方向の両端には、さらに外側に延びる係止部３１が形成されている。これら４つの係止部３１は、溝形フレーム２０の係止受部２２に弾性係止する構造となっており、溝形フレーム２０の長手方向の両端で引っ掛けられるように爪片よりなる係止受部２２を備えた構成となっている。
【００２２】
また、押さえカバー３０の幅方向の中央下面には、下方に突出する１組の突出片が形成されている。これらの突出片と上記折曲片は、溝形フレーム２０の上に配した遮熱シート１０を押さえる押さえ片３３、３４を構成しており、突出片はさらに溝形フレーム２０の溝部２１に対する嵌合片を構成している。
【００２３】
遮熱シート１０は溝形フレーム２０の上面に溝部２１の開口を塞ぐように載せ置かれ、その上から押さえカバー３０を被せ、押さえ片３３、３４で遮熱シート１０を押さえて溝部２１の開口より溝部２１内に入り込んだ押さえ片３３（突出片）が溝部２１に嵌合することで遮熱シート１０は固定される。
【００２４】
一方、押さえカバー３０の係止部３１は、押さえ片３３の嵌合と同時に、溝形フレーム２０の係止受部２２の上面に擦れながら、ともにまたは一方が弾性変形しながら爪片同士が相互に係止し、両者は固定される。
【００２５】
隣接する溝形フレーム（不図示。図２に示したものの左右側に配された溝形フレーム）についても、張力を調整しながら、同様の手順で遮熱シート１０を順次固定していけば、遮熱シート１０を屋根上に張設することができる。
【００２６】
図３は、このように順次取り付けた遮熱シート１０の取付状態の平面図を示しており、この図に示すように、係止部３１は遮熱シート１０の挿通部１１で溝形フレーム２０の係止受部２２で係止されている。
【００２７】
以上のように、溝形フレーム２０を屋根上に取り付けた状態で押さえカバー３０を被せ押さえるだけで、遮熱シート１０を固定状態に張設することができる。特に、押さえ片３３、３４のうち下面中央に形成した押さえ片３３（突出片）は溝形フレーム２０の溝部２１と嵌合（圧嵌）できるようになっているので、遮熱シート１０を弛むことなく確実に、かつ簡単・迅速に取り付けることができる。
【００２８】
また、押さえカバー３０の幅方向の両端および中央に押さえ片３３、３４が形成されているので、遮熱シート１０の張力を調整でき、遮熱シート１０をたるみなく溝形フレーム２０に固定することができる。
【００２９】
さらに、溝形フレーム２０と押さえカバー３０とは、係止部３１と係止受部２２とによる係止で固定される構成であるため、ビス止めによる削り粉である切粉が発生することはなく、当然に切粉の除去作業の必要はなく、取付作業の迅速化が図れる。また、素材が金属の場合であっても切粉を原因とする錆の発生はない。
【００３０】
また、押さえカバー３０の固定は、係止部３１と係止受部２２との弾性係止で固定する構造であるから、押さえカバー３０を押さえ付けるだけで係止作業を行うことができ、作業手間を省くことができる。
【００３１】
図４は、第１実施形態に使用される押さえカバー３０の他例の斜視図である。
【００３２】
この押さえカバー３０は、別体の係止体３０Ｂを本体３０Ａに取り付けて構成されている。本体３０Ａはリベット孔３０Ａａを有しており、一方、係止体３０Ｂはリベット孔３０Ｂａを有し、両端に係止部３１、３１を備えており、図４に示すように、本体３０Ａと係止体３０Ｂとは、係止体３０Ｂを本体３０Ａの上から嵌め込みリベットＲでかしめ結合され、一体化されている。２つの係止体３０Ｂ、３０Ｂを本体３０Ａの長手方向の両端に結合することで押さえカバー３０が形成される。なお、本体３０Ａには、図１の例に示した押さえカバー３０と同様の２種の押さえ片３３、３４が形成されている。
【００３３】
この例で用いる溝形フレーム２０は図１に示したものと同形状であり、遮熱シート１０の取付構造も、溝形フレーム２０、押さえカバー３０の固定構造も図１のものと同様であるため、それらの説明図は省略する。
【００３４】
ついで、図５〜図７を参照しながら、本発明の第２実施形態に係る遮熱シートの取付構造について説明する。
【００３５】
図５は、本発明の第２実施形態に係る遮熱シートの取付構造の分解斜視図である。図６（ａ）、（ｂ）は遮熱シートの取付手順を示した正面図である。図７は、遮熱シートの取付状態を示した平面図である。第１実施形態と同一の構成については、同一の符号を付してその説明を省略する。
【００３６】
本実施形態は、係止手段Ａによる係止により、溝形フレーム２０と、押さえカバー３０とを固定する点では第１実施形態と同様であるが、係止部３１、係止受部２２の係止位置が第１実施形態のものとは異なっている。
【００３７】
すなわち、係止部３１は押さえカバー３０の下面の長手方向の両端に、下方に垂れ下がり、相互に外側を向く爪を有した一対の爪片よりなり、一方、係止受部２２は溝形フレーム２０の溝部２１の開口端部より内側下方に延びる爪片よりなる。
【００３８】
これら係止部３１、係止受部２２が係止手段Ａを構成し、これらの弾性係止によって溝形フレーム２０と、押さえカバー３０とが固定される。
【００３９】
また、押さえカバー３０には２種の押さえ片３３、３４が形成されている。この例では押さえカバー３０の長手方向の両端に係止部３１が形成されているため、下面側の押さえ片３３は、その両端を除く中央部位に形成されている。これらの押さえカバー３３、３４によって遮熱シート１０が張設、固定される。なお図５では、押さえ片３３については、押さえカバー３０の下面の基端位置のみを破線で図示している。
【００４０】
図例では、押さえ片３４が溝形フレーム２０の係止受部２２（爪片）を圧するように嵌合する構造となっているが、係止受部２２をさらに弾性変形させ、弾性保持するようにして、係止部３１と係止受部２２とを強固に係止させるようにしてもよい。
【００４１】
本実施形態の構造によれば、溝形フレーム２０と、押さえカバー３０とが弾性係止によって固定されるので、第１実施形態のものと同様の効果が奏せられる。また、本実施形態のものは、係止部３１、係止受部２２が取付後に外観露出しないので、美観をすっきりとさせることができる。
【００４２】
図８は、第２実施形態に使用される押さえカバーの他例の斜視図である。
【００４３】
この押さえカバー３０は、別体の係止体３０Ｂを本体３０Ａに取り付けて構成されている。本体３０Ａはリベット孔３０Ａａを有しており、一方、係止体３０Ｂはリベット孔３０Ｂａを有し、両端に係止部３１、３１を備えており、図８に示すように、本体３０Ａと係止体３０Ｂとは、係止体３０Ｂを本体３０Ａの下面に配した状態でリベットＲでかしめ結合され、一体化されている。２つの係止体３０Ｂ、３０Ｂを本体３０Ａの長手方向の両端に結合することで押さえカバー３０が形成される。なお、本体３０Ａには、図５の例に示した押さえカバー３０と同様の２種の押さえ片３３、３４が形成されている。
【００４４】
この例で用いる溝形フレーム２０は図５に示したものと同形状であり、遮熱シート１０の取付構造も、溝形フレーム２０、押さえカバー３０の固定構造も図５のものと同様であるため、それらの説明図は省略する。
【００４５】
なお、本実施形態の２例において、切粉が発生するおそれがないこと、および押さえ片による効果については第１実施形態のものと同様であるため、詳細な説明は省略する。
【００４６】
（削除）
【００４７】
また、上記２つの実施形態で示した押さえカバー３０の押さえ片３３（突出片、嵌合片）は、中央部に空間を介して１組形成されているが、空間を設けずに一体の突出片としてもよい。例えば、この突出片のみを弾性体とし、２色成形にて形成してもよい。
【００４８】
また、上記実施形態では挿通部１１が両端にある遮熱シート１０を用いた例を示したが、挿通部１１を幅方向の中央に設けた遮熱シートを使用してもよく、そのような遮熱シートに対応させて、その中央部位を係止部により係止するか、ボルト止めできるようにしてもよい。
【符号の説明】
【００４９】
１０      遮熱シート
１１      挿通部
２０      溝形フレーム
２１      溝部
２１ａ      底部
２２      係止受部
３０      押さえカバー
３１      係止部
３３      押さえ片（突出片、嵌合片）
３４      押さえ片（折曲片）
Ａ      係止手段
１      波形屋根
１ａ      連結山部
１ｂ      屋根材支持金具
２      ボルト体
３      固定具
【図１】
0005352563.tif 000002
【図２】
0005352563.tif 000003
【図３】
0005352563.tif 000004
【図４】
0005352563.tif 000005
【図５】
0005352563.tif 000006
【図６】
0005352563.tif 000007
【図７】
0005352563.tif 000008
【図８】
0005352563.tif 000009